(57)【要約】  アクセスポイント（ＡＰ）の許容チャネルセット（ＡＣＳ）内の選択したチャネルに対して、サイレント測定期間（ＳＭＰ）を設定する。ＳＭＰの間は、ＡＰはそのＡＰのサービスエリア内の無線送／受信ユニット（ＷＴＲＵ）にサービスをすることなく、そのチャネルを他のＢＳＳ（基本サービスセット）用に確保する。ＳＭＰの初期化時に、ＡＰの通常の動作チャネルは選択したチャネルに変更される。ＳＭＰの間に、選択したチャネルの特性が測定される。ＡＰの動作チャネルは、ＳＭＰの継続時間の満了時に、通常の動作チャネルに戻される。
2007520123.tif 000002
【特許請求の範囲】
【請求項１】
少なくとも１つの無線送／受信ユニット（ＷＴＲＵ）にサービスするアクセスポイント（ＡＰ）を備えた無線通信システムにおいて、該ＡＰの無線リソースを管理する方法であって、
（ａ）前記ＡＰが許容チャネルセット（ＡＣＳ）の通常の動作チャネルで動作すること、
（ｂ）前記ＡＰが、通信媒体が使用可能であると判定したときに、サイレント測定期間（ＳＭＰ）を開始すること、
（ｃ）前記ＡＰが、前記通常の動作チャネルから前記ＡＣＳより選択された新しいチャネルに切り換えること、
（ｄ）前記ＡＰが、継続時間を有する前記ＳＭＰの開始時に、前記新しいチャネルで受信した信号を測定し解析すること、および
（ｅ）前記ＡＰが、前記ＳＭＰの前記継続時間が満了したときに、前記通常の動作チャネルに戻すこと
を含むことを特徴とする方法。
【請求項２】
前記ＷＴＲＵは、前記ＳＭＰの前記継続時間の間に、前記ＡＰへの送信を試みないことを特徴とする請求項１に記載の方法。
【請求項３】
（ｆ）前記ＡＰが、前記ＳＭＰが開始された後に、エネルギー検出閾値（ＥＤＴ）の設定を通常値から最小値に変更すること、および
（ｇ）前記ＡＰが、前記ＳＭＰの前記継続時間が満了したときに、前記ＥＤＴ値を前記通常値に戻すこと
をさらに含むことを特徴とする請求項１に記載の方法。
【請求項４】
前記無線通信システムは複数の基本サービスセット（ＢＳＳ）を含み、前記ＡＰは該複数のＢＳＳのうちの第１のＢＳＳによって規定されたサービスエリアにサービスすることを特徴とする請求項１に記載の方法。
【請求項５】
前記ＡＰは、前記ＳＭＰの前記継続時間の間に、該ＡＰのサービスエリア内のＷＴＲＵにサービスしないことを特徴とする請求項４に記載の方法。
【請求項６】
前記測定され解析された信号は、前記第１のＢＳＳ以外の前記複数のＢＳＳのうちの少なくとも１つのＢＳＳから受信されることを特徴とする請求項４に記載の方法。
【請求項７】
（ｆ）前記ＡＰが、前記ＡＣＳ内にＳＭＰスケジューリングを必要とする他のチャネルが存在するかどうかを判定すること、
（ｇ）前回のＳＭＰの終端と前記ＡＣＳ内の他のチャネルでの次のＳＭＰの始端との間に時間間隔（インターバル）を設定すること、
（ｈ）前記ＡＰが、前記時間間隔が満了したときに、前記通常動作チャネルから前記ＡＣＳより選択された他の新しいチャネルに切り換えること、および
（ｉ）前記ＡＰが、通信媒体が使用可能であると判定したときに前記次のＳＭＰを開始すること
をさらに含むことを特徴とする請求項１に記載の方法。
【請求項８】
ステップ（ｂ）は、前記ＡＰが前記ＷＴＲＵにＳＭＰ通知パケットを送信することをさらに含むことを特徴とする請求項１に記載の方法。
【請求項９】
ステップ（ｂ）は、前記ＡＰが、前記通信媒体が使用可能であると判定すること、短い時間間隔が満了するのを待つこと、および前記通信媒体がまだ使用可能であるかどうかを判定することをさらに含むことを特徴とする請求項１に記載の方法。
【請求項１０】
複数の基本サービスセット（ＢＳＳ）を含む無線通信システムにおいて、ＡＰの無線リソースを管理する方法であって、前記ＡＰは１つのＢＳＳのサービスエリアにサービスし、該方法は、
（ａ）前記ＡＰの許容チャネルセット（ＡＣＳ）内の各チャネルに対してサイレント測定期間（ＳＭＰ）を設定し、その期間中は前記ＡＰに関わるどの無線送／受信ユニット（ＷＴＲＵ）も前記ＡＰへの送信を試みないようにすること、および
（ｂ）前記ＳＭＰの合間に、前記ＡＰが前記ＡＰの前記サービスエリア内の無線送／受信ユニット（ＷＴＲＵ）にサービスする期間を設定すること
を含むことを特徴とする方法。
【請求項１１】
無線通信システムにおいて、サイレント測定期間（ＳＭＰ）を用いて無線リソースを管理するアクセスポイント（ＡＰ）であって、該ＡＰは、１つの基本サービスセット（ＢＳＳ）のサービスエリアにサービスをし、さらに
（ａ）許容チャネルセット（ＡＣＳ）を格納するメモリと、
（ｂ）ＳＭＰの間に他のＢＳＳからのパケットの送信用に使用されるＡＣＳ内のチャネルを動作チャネルとして選択し、かつ前記ＳＭＰの前記継続時間が満了した後で前記動作チャネルを前記ＳＭＰの前に使用していたチャネルに戻す切替をするトランシーバと、
（ｃ）前記トランシーバおよび前記メモリと通信して前記ＡＣＳ内の前記選択されたチャネルに対するサイレント測定期間（ＳＭＰ）を設定し、その期間中は前記ＡＰに関わるどの無線送／受信ユニット（ＷＴＲＵ）も該ＡＰへパケットの送信を試みないようにする無線リソース管理（ＲＲＭ）ユニットと
を含むことを特徴とするアクセスポイント（ＡＰ）。
【請求項１２】
（ａ）少なくとも１つの無線送受信ユニット（ＷＴＲＵ）と、
（ｂ）前記ＷＴＲＵにサービスするアクセスポイント（ＡＰ）と
を含む無線通信システムであって、
（ｉ）前記ＡＰは、許容チャネルセット（ＡＣＳ）の通常動作チャネルで動作し、
（ｉｉ）前記ＡＰは、通信媒体が使用可能であると判定したときにサイレント測定期間（ＳＭＰ）を開始し、
（ｉｉｉ）前記ＡＰは、前記通常動作チャネルから前記ＡＣＳより選択された新しいチャネルに切り換え、
（ｉｖ）前記ＡＰは、継続時間を有する前記ＳＭＰの開始時に、前記新しいチャネルで受信した信号を測定および解析し、さらに
（ｖ）前記ＡＰは、前記ＳＭＰの前記継続時間が満了したときに、前記通常の動作チャネルに戻す
ことを特徴とする無線通信システム。
【請求項１３】
前記ＷＴＲＵは、前記ＳＭＰの前記継続時間中に前記ＡＰに送信を試みないことを特徴とする請求項１２に記載のシステム。
【請求項１４】
前記ＡＰは、前記ＳＭＰの前記開始時にエネルギー検出閾値（ＥＤＴ）の設定を通常値から最小値に変更し、さらに前記ＡＰは、前記ＳＭＰの前記継続時間の満了時に前記ＥＤＴ値を前記通常値に戻すことを特徴とする請求項１２に記載のシステム。
【請求項１５】
無線通信装置において、
（ａ）許容チャネルセット（ＡＣＳ）を格納するメモリと、
（ｂ）通常動作チャネルで動作するトランシーバと、
（ｃ）通信媒体が使用可能であることを指示する手段と、
（ｄ）前記通信媒体が使用可能であるときに、サイレント測定期間（ＳＭＰ）を開始する手段と、
（ｅ）前記通常動作チャネルから前記ＡＣＳより選択された新しいチャネルに切り換える手段と、
（ｆ）継続時間を有する前記ＳＭＰの開始時に、前記新しいチャネルで受信した信号を測定および解析する手段と、
（ｇ）前記ＳＭＰの前記継続時間が満了したときに、前記通常動作チャネルに戻す手段と
を含むことを特徴とする集積回路（ＩＣ）。
【請求項１６】
サイレント測定期間（ＳＭＰ）を用いて無線リソースを管理するための集積回路（ＩＣ）であって、
（ａ）許容チャネルセット（ＡＣＳ）を格納するメモリと、
（ｂ）ＳＭＰの間にパケットの送信用に使用される前記ＡＣＳ内のチャネルを動作チャネルとして選択し、前記ＳＭＰの前記継続時間が満了した後に、該動作チャネルを前記ＳＭＰの前に使用していたチャネルに戻すトランシーバと、
（ｃ）前記トランシーバおよび前記メモリと通信して前記選択されたチャネルに対する前記ＳＭＰを設定し、前記ＡＣＳ内の異なるチャネルに対する異なるＳＭＰ間の時間間隔を設定し、かつエネルギー検出閾値（ＥＤＴ）の設定を変更する無線リソース管理（ＲＲＭ）ユニットと
を含むことを特徴とする集積回路（ＩＣ）。
【発明の詳細な説明】
【技術分野】
【０００１】
本発明は無線通信システムの無線リソース管理（ＲＲＭ）に関する。より詳細には、本発明は無線通信システムのサイレント測定期間（沈黙測定時間）（ＳＭＰ）を用いた無線リソース管理に関する。
【背景技術】
【０００２】
複数の基本サービスセット（ＢＳＳ）を含む無線通信システムにおいて、あるＢＳＳのアクセスポイント（ＡＰ）は、隣接するＢＳＳから送信されたデータパケットを時々聴取（listen）する必要がある。さらにＡＰは、周波数選択、負荷バランス、あるいは電力管理など先進的なＲＲＭ機能をサポートするために、色々なチャネルにおける外部干渉レベルを測定することが必要になることがある。しかし、ＡＰはまたそのＡＰ自身（以下、単に自身）のＢＳＳにある無線送／受信ユニット（無線送受信装置）（ＷＴＲＵ）への、またはそれからのパケットの送信および受信もサポートしなければならない。ＡＰが自身のＢＳＳのＷＴＲＵと通信するために使用する周波数チャネルは、隣接ＢＳＳが使用するなんらかの周波数チャネルと、または外部干渉を測定するチャネルと異なっていることがある。
【０００３】
費用制限のために、多くのＡＰはただ1つの受信機だけを備えている。したがって、ある一つの周波数チャネルで外部干渉を測定するか、または他のＢＳＳから送信されたパケットを聴取すると同時に、異なる周波数チャネルで動作するＡＰ自身のＢＳＳのＷＴＲＵと通信することは不可能である。ＡＰ自身のＢＳＳが、測定が実施される周波数チャネルと同じ周波数チャネルで動作する場合でさえ、そのＡＰのＢＳＳでトラフィックが増大した場合には、これらの測定を実施することが困難になることがある。
【発明の開示】
【発明が解決しようとする課題】
【０００４】
それ故、ＡＰは、ＡＰ自身のＢＳＳのＷＴＲＵとのＡＰ通信を最小限で中断して、他の周波数チャネルで動作するものも含めて、隣接ＢＳＳから送信される外部干渉およびパケットを測定できるメカニズム(仕組み、機構)を備えることが望ましい。
【課題を解決するための手段】
【０００５】
本発明は、ＡＰが、複数のＢＳＳを含む可能性のある無線通信システムの無線リソースを効率的に管理するために、他のＢＳＳから送信された干渉およびパケットの両方を測定することを可能にする。ＡＰは１つのＢＳＳのサービスエリア（coverage area）にサービスする。所与の時刻に、ＡＰの許容チャネルセット（ＡＣＳ）内のある１つの選択されたチャネルに対するＳＭＰがトリガーされる。ＡＰはチャネルがアイドル状態になるのを待ち、ＳＭＰ通知メッセージを送信して、ＳＭＰの間中、ＡＰ自身のＢＳＳのＷＴＲＵによるパケットの送信を（可能な限り）制限する。
【０００６】
ＡＰは、ＳＭＰの間は、選択されたチャネルでの測定を実施するために、そのサービスエリア内のＷＴＲＵへサービスしない。ＳＭＰの開始時に、（必要な場合には）ＡＰの受信機の動作周波数チャネルを上記選択されたチャネルに変更する。ＳＭＰの満了時に、ＡＰの動作チャネルは、（それが異なっている場合には）ＳＭＰの開始の前にＡＰが使用していたチャネルに戻される。次に、ＡＣＳ内の他の周波数チャネルに対する新たなＳＭＰがスケジューリングされる。
【０００７】
このＳＭＰメカニズムを用いることで、ＡＰは、そのＡＰに関連するＷＴＲＵとの通信を最小限で中断させながら、他のＢＳＳから送信された外部干渉やパケットを測定することができるようになる。
【０００８】
本発明のより詳細な理解は、例示として示されて添付の図面と併せて理解される以下の説明から得ることができる。
【発明を実施するための最良の形態】
【０００９】
以下、「ＷＴＲＵ」という用語は、ユーザ装置（ＵＥ）、移動局、固定または移動の加入者ユニット、ポケットベル、または無線環境で動作することができる他の任意の種類の装置を包含するものとする。ただし、これらに限定されるものではない。
【００１０】
以下で参照されたときに、「ＡＰ」という用語は、アクセスポイント、ノードＢ、サイトコントローラ、基地局、または無線環境における他の任意の種類のインタフェース装置を含むものとする。ただし、これらに限定されるものではない。
【００１１】
本発明の機能は、集積回路（ＩＣ）に組み込むこと、または多数の相互接続部品を備えた回路の形で構成することができる。
【００１２】
図１は、複数のＷＴＲＵ１１０と選択的に通信するＡＰ１０５を含む無線通信システムの図である。ＡＰ１０５はＳＭＰを利用して先進的な（高度な）ＲＲＭ機能をサポートする。ＡＰ１０５は、トランシーバ（無線送受信機）１１５、ＲＲＭユニット１２０、およびメモリ１２５を包含する。図１に示した各ブロックが特定の機能を表すものであることに留意されたい。これらの機能の多くは、単一または複数のユニットの形にまとめることができる。したがって、本発明は図示の機能区分に依存するものではない。さらに、これらの機能は説明を分かり易くするために示したものであり、本発明を実施するために、図１に示されたすべての機能が必要なわけではない。
【００１３】
本発明は、ＩＥＥＥ８０２．１１標準で指定されたクリアチャネルアセスメント（ＣＣＡ）機能を使用する。ＩＥＥＥ８０２．１１装置（ＡＰまたはＷＴＲＵ）のＣＣＡ機能の役割は、通信媒体が「ビジー」であるときを指示することである。通信媒体がビジーであるとき、ＩＥＥＥ８０２．１１装置は送信を控える。さらに、ＣＣＡ機能によって通信媒体がビジーになったことの指示が開始されると、アイドル状態の受信装置は着信パケットをデコード（解読）しようと試みる。
【００１４】
ＡＰ１０５において、トランシーバ１１５は、ＷＴＲＵ１１０などのような無線通信システムの他のエンティテにコミュニケーションを送信するとともに、そこからのコミュニケーションを受信する。無線チャネルを介して送信される信号の特性、例えば受信パケットの受信信号強度インジケータ（ＲＳＳＩ）、ＣＣＡ機能によって通信媒体がビジーであることが指示される継続時間、または外部干渉のレベルなどが測定される。
【００１５】
ＡＰ１０５において、ＲＲＭユニット１２０は、送信元および宛先のアドレス、パケットの種類など、デコードされたパケットの内容についての情報を受信する。後で詳細に説明するように、ＲＲＭユニット１２０は、ＳＭＰに関連する動作などＡＰ１０５の動作に関する全体のタイミング制御を提供する。ＲＲＭユニット１２０は、（ＡＰまたはＷＴＲＵとしての）ＩＥＥＥ８０２．１１装置などの無線装置の代表的なＲＲＭ機能のすべてをサポートする。ＲＲＭ機能には、例えば、動作のための最も適切な周波数チャネルや、様々なパケットに対する最適送信電力レベルおよびデータレートを決定する機能などが含まれる。ＲＲＭ機能にはまた、過度なトラフィック負荷に起因する混雑状態を防止または管理する機能を含めることもできる。ＲＲＭユニット１２０は、メモリ１２５にも結合されている。メモリ１２５には、ＡＣＳやタイマの計算に使用される値など（表１）、ＡＰ１０５の動作に関連するパラメータが格納される。
【００１６】
ＡＰ１０５において、メモリ１２５はＡＣＳを含む。ＡＣＳ（許容チャネルセット）は、拡張サービスセット（ＥＳＳ）においてＡＰが動作を許可されているチャネルのセット（ひと組）として定義される。これらのチャネルは、ＥＳＳのすべてのＡＰに対して同一でなければならない。ＡＣＳ内の各チャネルは、好ましくは非オーバラップであるが、これは必要条件ではない。一般に、ＡＣＳはＡＰによって使用される周波数帯域中のすべての可能なチャネルのセットとすることができる。しかし、すべてのＡＰが同一のＡＣＳを持つことが好ましいので、その帯域における可能なチャネルのサブセットだけがＡＣＳになる。
【００１７】
先に説明したように、ＣＣＡ機能の役割は通信媒体がアイドルかビジーかを指示することにある。通信媒体は、選択されたＣＣＡモードに対応した一定の条件を満たす場合に、ビジーだと見なされる。例えば、ＩＥＥＥ８０２．１１システムのある一般的に使用されるＣＣＡモードでは、受信されたパワー（受信電力）がエネルギー検出閾値（ＥＤＴ）を越えている場合であって、かつ信号がＩＥＥＥ８０２．１１装置によって生成されたことが検出された場合には、通信媒体はビジーだと見なされる。
【００１８】
表１は、図２に関して説明されるＳＭＰの設定に関係するパラメータをまとめたものである。当業者には、これらのパラメータや値に追加して、またはそれらの代わりに他のパラメータが使用できることが理解されよう。
【００１９】
【表１】
2007520123.tif 000003
【００２０】
図２は、通信媒体が使用可能であると判定された後で、ＡＰ１０５がＳＭＰを送信している間および送信した後に、チャネルおよびＥＤＴ値を変更するための方法ステップ（手順）を含むプロセス２００の流れ図である。プロセス２００は、以下で図３を参照して説明するように、ＳＭＰがトリガーされたことに応答して始動される。
【００２１】
図２を参照すると、ＡＰ１０５は通信媒体が使用可能になったと判定されるまで待つ（ステップ２０５）。通信媒体が使用可能になった後で、ＡＰ１０５は短い期間（例えば、優先フレーム時間（ＰＩＦＳ））が満了するのを待つ（ステップ２１０）。この短い期間は、予め決められていることも、可変のことも、あるいはランダムのこともあり得る。ステップ２１０で短い期間が満了するのを待つ理由は、ＳＭＰ通知パケットを送信するときに他のパケットとの衝突を回避するためである。短い期間が満了した後で通信媒体がやはり使用可能だと判定した場合は（ステップ２１５）、プロセス２００はステップ２２０に進む。使用可能でないと判定した場合は、プロセス２００はステップ２０５に戻って、通信媒体が再び使用可能になったと判定されるまで待つ。ステップ２２０で、ＡＰ１０５はＳＭＰ通知パケットを送信する（ステップ２２０）。この通知パケットの役割は、ＡＰ１０５がサービスするＢＳＳのＷＴＲＵ１１０が、ＳＭＰの間にパケットを送信する可能性を減らすことである。
【００２２】
ＳＭＰ通知パケットを実装するためのいくつかの代替方法が存在する。ＩＥＥＥ８０２．１１システムにおける実装のための代替方法では、ＳＭＰ通知パケットは、ＡＰ１０５自身のアドレスなど「ダミー」の宛先アドレスを有する送信要求（ＲＴＳ）から、または受信準備完了（ＣＴＳ）パケットから単純に構成することができ、それによって継続時間Tmp_dur中の通信媒体を確保することができる。ＲＴＳまたはＣＴＳパケットを受信したＷＴＲＵ１１０は、パケット内で指定された継続時間中の送信を控える。
【００２３】
あるいは、ＡＰ１０５は、継続時間Tmp_durにおける非衝突通信期間（contention-free period）の開始を指示するビーコンパケット（beacon packet）を送信することによって非衝突通信期間を開始することができる。このビーコンパケットを受信したＷＴＲＵ１１０は、非衝突通信期間の指示された継続時間の間は送信を差し控える。
【００２４】
いずれかの方法を用いて実装されるＳＭＰ通知パケットの送信パワーは、ＡＰ１０５と同じ動作チャネルを使用する隣接ＢＳＳ内のＷＴＲＵ１１０がそのＳＭＰ通知パケットを受信するのを避けるために、好ましくは十分に低い値に設定される。そのようなＷＴＲＵ１１０によって受信されることは、そのＷＴＲＵによる送信を阻止することになり、その結果として、隣接ＢＳＳにおける同じチャネルでチャネル利用率を推定するＳＭＰの機能を損なう可能性がある。
【００２５】
そこで、図２を参照すると、ＡＰ１０５は、（必要な場合には）通常の動作チャネルから新しく選択されたチャネルに切り換える（ステップ２２５）。新しく選択されたチャネルは、他のＢＳＳからのデータパケットが送信されるチャネルである。ステップ２３０において、ＡＰ１０５はＥＤＴの値を通常の値から最小値に変更する。これにより、ＡＰ１０５が可能な限り低い電力レベルで受信したパケットを聴取できることが保証される。
【００２６】
ＡＰ１０５は、新しく選択されたチャネルで受信した信号を測定し解析する（ステップ２３５）。この測定は、受信パケットの継続時間、受信パケットのＲＳＳＩ、ＣＣＡ機能によって通信媒体が使用可能、またはビジーであることが指示される継続時間、外部干渉レベルなどを含むことができる。ＡＰ１０５は、受信したパケットの特性を測定するとともに、ＳＭＰの継続時間（Tmp_dur）が満了したかどうかを判定する（ステップ２４０）。ＳＭＰの継続時間（Tmp_dur）が満了していない場合は、ステップ２３５で、ＡＰ１０５は新しく選択されたチャネルでの測定を継続し、受信した信号を解析する。ステップ２４０で、ＡＰ１０５がＳＭＰの期間（Tmp_dur）が満了したと判定した場合は、ＡＰ１０５は、（もし異なっている場合には）通常の動作チャネルに切り換え、ＥＤＴの値を通常の値（すなわち、ＳＭＰ以前の値）に戻す（ステップ２４５）。
【００２７】
次に、図３と図４の両方を参照しながら、ＡＣＳのすべてのチャネルに対するＳＭＰのスケジューリングについて説明する。図３は、本発明による、ＡＣＳの複数のチャネルに対して、ＳＭＰを使用して無線リソースを効率的に管理するための方法ステップを含むプロセス３００の流れ図である。図４はプロセス３００に関連するタイミング図である。
【００２８】
図２を参照して説明したように、ＡＰ１０５は特定の（通常の）動作チャネルで動作し、（必要な場合には）ＳＭＰの間は他のチャネルに切り換わり、次いでＳＭＰの後に（異なっていた場合には）特定の動作チャネルに戻ることに留意されたい。本実施例のために、ＡＰ１０５の動作チャネルをチャネル０、（ＣＨＡＮ０）で示す。ただし、任意の送信チャネルを使用することができる。
【００２９】
図３および図４を参照すると、ステップ３０５で、ＡＰ１０５はＡＣＳの通常の動作チャネル０で動作する。ステップ３１０で、図４のＳＭＰ１のTmp_dur１によって示されるように、通信媒体が使用可能であるときには、ＡＰ１０５はＡＣＳのチャネル１〜Ｎ（ＣＨＡＮ１〜ＣＨＡＮ  Ｎ）のうちの１つを選択し、継続時間（Tmp_dur）にわたるＳＭＰを開始する。ステップ３１５で、ＡＰ１０５はＳＭＰの継続時間（Tmp_dur）が満了したかどうかを判定し、それが満了している場合には、ステップ３２０で、ＡＰ１０５は通常の動作チャネル０（ＣＨＡＮ０）に戻る。ステップ３２５で、ＡＰ１０５が、ＡＣＳ中にＳＭＰスケジューリングを必要とする他のチャネルが存在すると判定した場合には、ＡＰ１０５は、図４のTmpp１およびＳＭＰ２で示されるように、直前のＳＭＰ（ＳＭＰ１）の終端と、ＡＣＳの次のチャネル（ＣＨＡＮ２）の他のＳＭＰ（ＳＭＰ２）の始端の間の時間（Tmpp）を設定する。
【００３０】
ＡＰ１０５によって設定される時間Tmppは一定の期間でもよいが、好ましくは、式１によって決定される可変期間である。  
Tmpp＝Tmpp_fix＋Ｃ×Tmpp_var                      式（１）
ここで、Tmpp_fixおよびTmpp_varは固定値であり、Ｃは−１と１の間の可変値である。Tmpp_fixは、ほぼＳＭＰ発生の「周期」になる。Tmpp_varは、ＳＭＰ発生が規則正しく生じることを防止するランダムな「ジッタ（jitter）」の振幅である。好ましくは、Tmpp_varはTmpp_fixよりもはるかに小さな値である。ＳＭＰは周期的でも良いので、Tmpp_varは必須ではない。しかし、ＳＭＰを非周期的に実施することにより、ＳＭＰの間に実施される測定が、測定されるＢＳＳのあるトラフィックパターンと同期して、ある種の測定バイアスが生じる可能性があるというリスクを低減することができる。したがって、ＳＭＰ同士の間隔は、Tmppの値に従って異なることがあり得る。図４に示されるように、Tmpp１はTmpp２よりも小さく、（Ｎ番目のＳＭＰに対する）TmppＮはTmpp２よりも大きい。この間隔Tmppの長さは、式１による周期の変化に従って変化する。
【００３１】
ＡＰ１０５は、ＳＭＰの間には、ＡＰ自身のＷＴＲＵ１１０にサービスすることができないので、ＳＭＰに使用される時間の全体における比率（すなわち、ΣTmp_durＮ／（ΣTmppＮ＋ΣTmp_durＮ））を非常に小さくする必要がある。ＳＭＰのための時間の全体における比率は、ＡＰ自身の送信のための時間に対する損失を抑えることと、他のＢＳＳの送信に関する測定用に十分な時間を割り振ることの間のトレードオフである。
【００３２】
音声通信は遅延ジッタの影響を非常に受けやすいので、その比率を設定する際には、音声負荷についてのサポートが考慮される。このことは、単一のＳＭＰの継続時間（Tmp_dur）に関して最大の制限を課すことになる。一方、単一のＳＭＰは、妥当な成功確率で隣接ＢＳＳから完全なパケットを受信できるように、十分な長さの継続時間を取る必要がある。
【００３３】
ステップ３３５において、ＡＰ１０５は期間（Tmpp）が満了したかどうかを判定し、満了している場合には、処理をステップ３１０に戻し、そのステップでＡＣＳから他のチャネル（ＣＨＡＮ２）を選択する。ステップ３２５において、ＳＭＰスケジューリングを必要とするチャネルが、ＡＣＳにそれ以上存在しないと判定されるまで、図４におけるＳＭＰ２のTmp_dur２，・・・，ＳＭＰＮのTmp_durＮ、ならびにTmpp２，・・・，TmppＮによって示されるように、ステップ３３０、３３５、３１０、３１５、および３２０が継続的に繰り返される。
【００３４】
このプロセスを実施することによって、すべてのＳＭＰがＡＣＳ内のすべてのチャネルに対して設定される。図４に示されるように、ＡＣＳ内のすべてのチャネルに対してＳＭＰを繰り返し設定することができる。したがって、ＡＰ１０５がＡＣＳのＮ番目のチャネルに対するＳＭＰＮを操作した後で、ＡＰ１０５は、ＡＣＳの最初のチャネルからＳＭＰ操作に関する他の新しいサイクルを開始する。ＡＰの動作チャネルは通常ＡＣＳの一部であり、したがってＡＰは時々ＡＰ自身の動作チャネルに対するＳＭＰをスケジューリングすることになるということに留意されたい。さらに、ＳＭＰはＡＣＳのすべてのチャネルに対してランダムな順序で設定することもできる。
【００３５】
ＳＭＰ間の実際の継続時間は正確にTmppＮでない場合があることにも留意されたい。なぜならば、タイマの満了時に通信媒体がビジーである場合には、ＡＰ１０５が上述のＳＭＰ通知パケットを送信するまでに、多少待たされることがあるからである。
【００３６】
本発明の機能および要素を、特に組合せの形の好ましい実施形態で説明してきたが、各機能または要素は単独で（好ましい実施形態の他の機能および要素なしで）、または本発明の他の機能および要素との様々な組合せで、またはその組合せなしで使用することができる。
【００３７】
好ましい実施形態に即して本発明を詳細に図示し説明してきたが、上述の本発明の範囲を逸脱することなく、これらの実施形態の形状や詳細に関する様々な変更を成し得ることが当業者には理解されよう。
【図面の簡単な説明】
【００３８】
【図１】本発明の好ましい実施形態による、複数のＷＴＲＵと１つのＡＰを含み、ＳＭＰを使用して先進的なＲＲＭ機能をサポートする無線通信システムを示す図である。
【図２】通信媒体が使用可能であると判定された後で、ＡＰがＳＭＰを送信する間および送信した後でチャネルおよびＥＤＴ値を変更するために図１のシステムに実装されるプロセスの流れ図である。
【図３】ＡＣＳ内の複数のチャネルに対し、ＳＭＰを使用して無線リソースを管理するために図１のシステムに実装されるプロセスの流れ図である。
【図４】図３のプロセスのタイミング図である。
【図１】
2007520123.tif 000004
【図２】
2007520123.tif 000005
【図３】
2007520123.tif 000006
【図４】
2007520123.tif 000007
【国際調査報告】
2007520123.tif 000008
2007520123.tif 000009